(57)【要約】【課題】化学物質で汚染された土壌の処理を、低コストで、施工容易に行うことができる化学物質で汚染された土壌の処理方法を提供する。【解決手段】油等の化学物質で汚染された土壌部分を掘削した後、その穴１を囲む土壌面に第１のシート状化学物質吸着材２を敷き、その上に、前記掘削した汚染土壌３を埋め戻し、埋め戻した汚染土壌３の上に、第２のシート状化学物質吸着材４を敷き、その上を化学物質で汚染されていない土５で覆土する。各シート状化学物質吸着材２，４は、化学物質を吸着する活性炭シート層６，６間に生分解性の補強シート層７を設けた三層構造のものからなっているとよい。【選択図】      図１
2010253420.tif 000002
【特許請求の範囲】
【請求項１】
化学物質で汚染された土壌部分を掘削した後、その穴を囲む土壌面に第１のシート状化学物質吸着材を敷き、その上に、前記掘削した汚染土壌を埋め戻し、埋め戻した汚染土壌の上に、第２のシート状化学物質吸着材を敷き、その上を化学物質で汚染されていない土で覆土することを特徴とする化学物質で汚染された土壌の処理方法。
【請求項２】
化学物質で汚染された土壌の地表面部に、シート状化学物質吸着材を敷き、該化学物質吸着材の上を化学物質で汚染されていない土で覆土することを特徴とする化学物質で汚染された土壌の処理方法。
【請求項３】
前記シート状化学物質吸着材が、化学物質を吸着する多孔質シート層間に生分解性の補強シート層を設けた三層構造のものからなっている請求項１又は２に記載の化学物質で汚染された土壌の処理方法。
【請求項４】
前記多孔質シート層が活性炭シート層からなる請求項３に記載の化学物質で汚染された土壌の処理方法。
【発明の詳細な説明】
【技術分野】
【０００１】
本発明は、石油やＶＯＣ、有機塩素系化合物等の化学物質で汚染された土壌の処理方法に関する。
【背景技術】
【０００２】
化学物質で汚染された土壌の処理方法として、汚染された土壌部分を掘削して産廃処分する方法の他、生石灰法や微生物浄化法などがあるが、コスト面や工期面での問題があり、また、発熱や、発熱による揮発臭気の発生、処理の不確実性というような問題もある。
【先行技術文献】
【特許文献】
【０００３】
【特許文献１】特開２００７−３９９５４号公報
【特許文献２】特開２００８−５５３１９号公報
【特許文献３】特開２００８−６８２４４号公報
【発明の概要】
【発明が解決しようとする課題】
【０００４】
本発明は、上記のような問題点に鑑み、化学物質で汚染された土壌の処理を、低コストで、施工容易に行うことができ、また、発熱や、発熱による揮発臭気の発生を防ぐことができると共に、確実な処理を実現することができる、化学物質で汚染された土壌の処理方法を提供することを課題とする。
【課題を解決するための手段】
【０００５】
上記の課題は、化学物質で汚染された土壌部分を掘削した後、その穴を囲む土壌面に第１のシート状化学物質吸着材を敷き、その上に、前記掘削した汚染土壌を埋め戻し、埋め戻した汚染土壌の上に、第２のシート状化学物質吸着材を敷き、その上を化学物質で汚染されていない土で覆土することを特徴とする化学物質で汚染された土壌の処理方法によって解決される（第１発明）。
【０００６】
この処理方法によれば、掘削穴に埋め戻された汚染土壌に含まれる化学物質は、掘削穴の土壌面に敷かれた第１のシート状化学物質吸着材と、埋め戻した汚染土壌の上に敷かれた第２のシート状化学物質吸着材とによって吸着されていき、それにより、埋め戻された汚染土壌に含まれる化学物質が周囲の土壌部分に広がるのを防ぐことができると共に、埋め戻された汚染土壌も清浄化していくことができ、汚染土壌から発する悪臭や異臭が処理後の地表面から発せられるのも防ぐことができて、有効効果的な処理を実現することができる。
【０００７】
しかも、掘削した汚染土壌は、掘削した穴に埋め戻すため、汚染掘削土の産廃処分の必要がなく、処理をコスト的に有利に行うことができると共に、
掘削、掘削穴へのシート状化学物質吸着材の敷設、埋戻し、シート状化学物質吸着材の敷設、覆土の各工程を行っていくだけで処理を終えることができて、施工が非常に容易で、短工期で処理を終えることができ、
また、埋め戻した汚染土壌の上に敷設した第２シート状化学物質吸着材の上には覆土をするので、第２シート状化学物質吸着材を固定化して地盤を安定させることができると共に、第２シート状化学物質吸着材を保護することができる。また、各シート状化学物質吸着材は補強シート層によって補強されているので、埋め戻した汚染土壌や覆土によって損傷することもない。
【０００８】
また、上記の課題は、化学物質で汚染された土壌の地表面部に、シート状化学物質吸着材を敷き、該化学物質吸着材の上を化学物質で汚染されていない土で覆土することを特徴とする化学物質で汚染された土壌の処理方法によって解決される（第２発明）。
【０００９】
この方法によれば、シート状化学物質吸着材の下の汚染土壌に含まれる化学物質は、該シート状化学物質吸着材によって吸着されていき、それにより、汚染土壌を清浄化していくことができると共に、汚染土壌から発する悪臭や異臭が処理後の地表面から発せられるのも防ぐことができて、有効効果的な処理を実現することができる。
【００１０】
しかも、汚染土壌を掘削する必要もなく、掘削土を産廃処分する必要もないので、処理をコスト的に有利に行うことができると共に、
シート状化学物質吸着材の敷設と覆土の工程を行っていくだけで処理を終えることができて、施工が非常に容易で、短工期で処理を終えることができ、
また、汚染土壌の上に敷設したシート状化学物質吸着材の上には覆土をするので、シート状化学物質吸着材を固定化して地盤を安定させることができると共に、シート状化学物質吸着材を保護することができる。また、シート状化学物質吸着材は補強シート層によって補強されているので、覆土によって損傷することもない。
【００１１】
第１，第２発明において、前記シート状化学物質吸着材が、化学物質を吸着する多孔質シート層間に生分解性の補強シート層を設けた三層構造のものからなっているとよい（第３発明）。
【００１２】
この場合は、化学物質を多孔質で吸着するから、処理中に、熱や、熱による揮発臭気の発生もなく、施工を安全に行うことができ、しかも、シート状化学物質吸着材は、そのような多孔質シート層間に補強シート層を設けた三層構造のものからなっているから、強度的に強く、環境に耐えて化学物質を効果的に吸着することができ、加えて、補強シート層は生分解性であるから、環境負荷を小さくすることができる。
【００１３】
第３発明において、多孔質シート層が活性炭シート層からなる場合（第４発明）は、補強シート層が生分解性であることも相俟って、環境負荷を非常に小さくすることができる。
【発明の効果】
【００１４】
本発明は、以上のとおりのものであるから、化学物質で汚染された土壌の処理を、低コストで、施工容易に行うことができる。また、発熱や、発熱による揮発臭気の発生を防ぐことができると共に、確実な処理を実現することができ、また、環境への負荷も小さく済ませることができる。
【図面の簡単な説明】
【００１５】
【図１】図（イ）はシート状化学物質吸着材の断面図、図（ロ）は第１実施形態の処理方法によって処理された土壌の断面正面図、図（ハ）は第２実施形態の処理方法によって処理された土壌の断面正面図である。
【図２】図（イ）〜図（ハ）は、図３（ニ）〜（ヘ）とともに、第１実施形態の処理方法を順次に示す断面正面図である。
【図３】図（ニ）〜図（ヘ）は、図２（イ）〜（ハ）とともに、第１実施形態の処理方法を順次に示す断面正面図である。
【発明を実施するための形態】
【００１６】
次に、本発明の実施形態を図面に基づいて説明する。
【００１７】
第１実施形態の方法によって処理された土壌を示す図１（ロ）において、１は掘削穴、２は第１のシート状化学物質吸着材、３は汚染土壌、４は第２のシート状化学物質吸着材、５は化学物質で汚染されていない土である。
【００１８】
第１，第２のシート状化学物質吸着材２，４はそれぞれ、図１（イ）に示すように、化学物質を吸着する多孔質シート層６，６間に生分解性の補強シート層７を設けた三層構造のものからなって、本実施形態では、多孔質シート層６，６は活性炭シート層からなっている。活性炭シート層６，６は、例えば、活性炭を不織布のようにシート状に加工したものからなっていて、補強シート層７は、トウモロコシなどの植物性のものなどからなっていて、汚染の種類によって２〜数十年程度で生分解して二酸化炭素と水になるものであるのがよい。なお、活性炭シート層６，６には、化学物質の浄化作用のある微生物や、化学物質を分解、溶解する界面活性剤、酵素などの分解促進剤を添加するようにしてもよい。
【００１９】
施工は、図２（イ）に示すように化学物質で汚染された土壌部分３を、図２（ロ）に示すように掘削した後、その穴１を囲む土壌面に、図２（ハ）に示すように第１のシート状化学物質吸着材２を敷き、その上に、図３（ニ）に示すように、上記の掘削した汚染土壌３を埋め戻し、埋め戻した汚染土壌３の上に、図３（ホ）に示すように、第２のシート状化学物質吸着材４を敷き、そして、その上を、図３（ヘ）に示すように、化学物質で汚染されていない土５で覆土する、というようにして行う。覆土は１０〜５０ｃｍ程度行うとよい。
【００２０】
これにより、掘削穴１に埋め戻された汚染土壌３に含まれる化学物質は、掘削穴１の土壌面に敷かれた第１のシート状化学物質吸着材２と、埋め戻した汚染土壌３の上に敷かれた第２のシート状化学物質吸着材４とによって吸着されていき、それにより、埋め戻された汚染土壌３に含まれる化学物質が周囲の土壌部分８に広がるのを防ぐことができると共に、埋め戻された汚染土壌３も清浄化していくことができ、汚染土壌３から発する悪臭や異臭が処理後の地表面から発せられるのも防ぐことができて、有効効果的な処理を実現することができる。
【００２１】
しかも、掘削した汚染土壌３は、掘削した穴１に埋め戻すため、汚染掘削土３の産廃処分の必要がなく、処理をコスト的に有利に行うことができる。また、施工も、掘削、掘削穴１への第１シート状化学物質吸着材２の敷設、埋戻し、第２シート状化学物質吸着材４の敷設、覆土の各工程を行っていくだけで処理を終えることができて、施工が非常に容易で、短工期で処理を終えることができる。更に、埋め戻した汚染土壌３の上に敷設した第２シート状化学物質吸着材４の上には覆土５がなされているので、第２シート状化学物質吸着材４を固定化して地盤を安定させることができると共に、第２シート状化学物質吸着材４を保護することができる。また、第１シート状化学物質吸着材２も、埋め戻された汚染土壌３によって、しっかりと固定化され、保護もされる。各シート状化学物質吸着材２，４は補強シート層７によって補強されているので、埋め戻した汚染土壌３や覆土５によって損傷することもない。
【００２２】
そして、第１，第２のシート状化学物質吸着材２，４は、多孔質シート層６，６を構成する活性炭で化学物質を吸着するものであるから、処理中に、熱や、熱による揮発臭気の発生もなく、施工を安全に行うことができると共に、補強シート層７によって強度的に強く、そのため環境に耐えて化学物質を効果的に吸着することができ、活性炭シート層６，６と生分解性補強シート層７の採用によって、環境負荷を小さくすることができる。
【００２３】
図１（ハ）は、第２実施形態の方法によって処理された土壌を示すもので、化学物質で汚染された土壌３の地表面部に、第１実施形態で使用したのと同じシート状化学物質吸着材４を敷き、該化学物質吸着材４の上を、第１実施形態の場合と同様に、化学物質で汚染されていない土５で覆土したものである。
【００２４】
このような処理方法によっても、シート状化学物質吸着材４の下の汚染土壌３に含まれる化学物質は、該シート状化学物質吸着材４によって吸着されていき、それにより、汚染土壌３を清浄化していくことができると共に、汚染土壌３から発する悪臭や異臭が処理後の地表面から発せられるのも防ぐことができて、有効効果的な処理を実現することができる。
【００２５】
しかも、汚染土壌３を掘削する必要もなく、掘削土を産廃処分する必要もないので、処理をコスト的に有利に行うことができる。また、シート状化学物質吸着材４の敷設と覆土５の工程を行っていくだけで処理を終えることができて、施工が非常に容易で、短工期で処理を終えることができる。更に、汚染土壌３の上に敷設したシート状化学物質吸着材４の上には覆土５がなされているので、シート状化学物質吸着材４を固定化して地盤を安定させることができると共に、シート状化学物質吸着材４を保護することができる。また、シート状化学物質吸着材４は補強シート層７によって補強されているので、覆土５によって損傷することもない。
【符号の説明】
【００２６】
１…掘削穴
２…第１のシート状化学物質吸着材
３…汚染土壌
４…第２のシート状化学物質吸着材
５…覆土
６…活性炭シート層（多孔質シート層，化学物質吸着シート層）
７…補強シート層
【図１】
2010253420.tif 000003
【図２】
2010253420.tif 000004
【図３】
2010253420.tif 000005